(57)【特許請求の範囲】
【請求項１】
レンチキュラーの平面側の光が集光しない部分にブラックストライプが形成されている映像用スクリーンにおいて、
平面側に光硬化部が粘着性を消失する光硬化型感光層を設けたレンチキュラーを枠部に相当する部分に遮光マスクを設置しレンズ側よりレンチキュラー全面に光照射し、未硬化部に黒色転写シートで黒色インキ層を転写させて形成されていることを特徴とする映像表示用スクリーン。
【請求項２】
（１）レンチキュラーのレンズ側に対向する平面部に、光硬化部が粘着性を消失する光硬化型感光層を設ける。
（２）次に、レンチキュラーのレンズ側に枠部に相当する部分に遮光マスクを設置し、レンズ側よりレンチキュラー全面に光照射する。
（３）次に、光硬化型感光層の未硬化部に黒色転写シートで、加圧／加熱方式で黒色インキ層を転写させて、ブラックストライプと黒色枠とを同時に形成する。
以上の工程で映像表示用スクリーンを作成する作成方法。
【発明の詳細な説明】
【０００１】
【発明の属する技術分野】
本発明は、投射型映像表示装置に使用されるレンキキュラーにブラックストライプを形成した映像表示用スクリーンに関するものである。
【０００２】
【従来の技術】
近年、テレビ等の映像を大サイズで観賞したいと言うニーズが高まっており、液晶やＣＲＴに表示されている画像を拡大レンズで拡大して映像表示用スクリーンに投影する方式が見直されてきている。
この映像表示用スクリーンは、かまぼこ形状のレンチキュラー平面部の光が集光しない部分に映像コントラストを高めるためにブラックストライプ、及び表示画面以外部分に黒色枠が設けられている。
【０００３】
この作成は、レンチキュラーにブラックストライプを形成した後、黒色枠の成形はスクリーン印刷等の印刷方式で印刷していた。このために、印刷する際に表面に擦り傷が付いたり或いはインキが付着し汚れが発生する、また、工程が２段階であるため生産性が悪くコスト高になるという問題がある。
【０００４】
【発明が解決しようとする課題】
本発明が解決しようとする課題は、ブラックストライプ形成と黒色枠を同時に形成することで、表面に擦り傷が付いたり或いはインキによる汚れが付着することを防止し、且つコストの低減を図ることである。
【０００５】
【課題を解決するための手段】
上記目的を達成するためになされた請求項１に記載の発明は、レンチキュラーの平面側の光が集光しない部分にブラックストライプが形成されている映像用スクリーンにおいて、
平面側に光硬化部が粘着性を消失する光硬化型感光層を設けたレンチキュラーを枠部に相当する部分に遮光マスクを設置しレンズ側よりレンチキュラー全面に光照射し、未硬化部に黒色転写シートで黒色インキ層を転写させて形成されていることを特徴とする映像表示用スクリーンである。
【０００６】
また、請求項２に記載の発明は、
（１）レンチキュラーのレンズ側に対向する平面部に、光硬化部が粘着性を消失する光硬化型感光層を設ける。
（２）次に、レンチキュラーのレンズ側に枠部に相当する部分に遮光マスクを設置し、レンズ側よりレンチキュラー全面に光照射する。
（３）次に、光硬化型感光層の未硬化部に黒色転写シートで、加圧／加熱方式で黒色インキ層を転写させて、ブラックストライプと黒色枠とを同時に形成する。
以上の工程で映像表示用スクリーンを作成する作成方法である。
【０００７】
【発明の実施の形態】
以下、本発明について図面を参照しながら詳細に説明する。
【０００８】
図１はレンチキュラーにブラックストライプ及び黒色枠が形成された映像表示用スクリーンの平面図であり、図２は図１の（イ）部の拡大斜視図をそれぞれ表している。
図３は光硬化型感光層を設けたレンチキュラーにレンズ側から光を照射する際のセット構成を示し、（ａ）は平面図、（ｂ）は（ａ）のＸ−Ｘ部における断面図を示している。
また、図４は映像表示用スクリーンの作成方法を説明するものである。
【０００９】
ほぼ平面部の位置に焦点がなるような凸レンズを形成して並設されているレンチキュラー（１０）の平面部にブラックストライプ（１１）、黒色枠（１２）が形成されている。
レンチキュラー（１０）は、ポリ塩化ビニール樹脂、アクリル樹脂、ポリスチレン樹脂、ポリカーボネート樹脂等の汎用されている透明樹脂を素材として作成されている。
【００１０】
ブラックストライプ（１１）は、レンチキュラーの平面部の光が集光しない部分、すなわち、レンズ間の谷部に沿った平坦部に形成する。また、黒色枠（１２）は、表示画面サイズの周辺に形成する。
【００１１】
レンティキュラーの平面部には、光硬化することで粘着性が消失する光硬化型感光層（３０）を設けておき、枠部に相当する部分に遮光マスクをレンズ面上にセットしレンズ面側より光を照射する。照射した光は、凸レンズの作用によって集光され、集光された部分（３２）が光硬化し、集光部以外の部分（３１）は粘着性を有したままである。周辺部も遮光マスクにより遮光されているので粘着性を有したままである。
【００１２】
この光硬化型感光層（３０）に、黒色インキ層（４２）が転写シート基材（４１）に形成されている転写シート（４０）を重ね合わせて、加熱・加圧させて粘着性を有している部分のみに黒色インキ層を転写する。
【００１３】
このことにより、図１に示すような映像表示用スクリーンが作成される。この場合、ブラックストライプ（１１）と黒色枠（１２）は、同時に形成される。
【００１４】
光硬化型感光剤としては、フリーラジカル付加重合が可能な、または架橋重合可能なエチレン性不飽和基を有する化合物であって、１以上のエチレン性不飽和基、例えば、ビニル基またはアリル基を有するモノマー、オリゴマー、または末端または側鎖にエチレン性不飽和基を有するポリマーが挙げられる。
【００１５】
具体的な化合物として、メチルメタアクリレート、ブチルメタアクリレート、シクロヘキサンメタアクリレート、２−ヒドロキシエチルメタアクリレート、ポリエチレングリコールジアクリレートのアクリレート化合物、エポシキ樹脂やポリスチレン樹脂の末端にメタアクリレートが結合したポリマー等が使用できる。
【００１６】
また、感度を上げるために、重合開始剤としてベンゾフェノン、４，４―ビス（ジエチルアミノ）ベンゾフェノン、２−エチルアントラキノン、アゾビスイソブロニトリル、２−クロロチオキサントン、２−メチルチオキサントン、２−イソプロピルチオキサントン等を単独或いは混合して上記光硬化性化合物に添加される。
【００１７】
転写シート（４０）はポリエチレンテレフタレート、ポリエチレンナフタレート、ナイロン等の耐熱性プラスチックのシート基材（４１）にシリコン樹脂の剥離層を設け、この上に黒色インキ層（４２）が塗布されたものである。
【００１８】
光硬化型感光層（３０）と転写シート（４０）の黒色インキ層（４２）を対向させて加熱・加圧すると、未硬化部分の粘着性を有する部分のみに黒色インキが転写されることになる。
【００１９】
【発明の効果】
上記したように、ブラックストライプ形成と黒色枠を同時に形成することで、表面に擦り傷が付いたり或いはインキによる汚れが付着することを防止することができる。
また、１つの工程でブラックストライプ形成と黒色枠を同時に形成することができるので、製造コストの低減を図ることができる。
【図面の簡単な説明】
【図１】映像表示用スクリーンの平面図である。
【図２】図１（イ）部の拡大斜視図である。
【図３】光照射してブラックストライプ等を形成する際のセットを示し、（ａ）は平面図、
（ｂ）はＸ−Ｘ部に於ける構成断面図である。
【図４】図３（ロ）部に光照射してブラックストライプ等を形成する工程を説明するものであり、
（ａ）は光が集光し光硬化部と未硬化部部が形成される状態を、
（ｂ）は転写シートを用いてブラックストライプ等を形成する状態を、
（ｃ）はブラックストライプ等が形成された状態を、
それぞれ示す断面図である。
【符号の説明】
１０…レンチキュラー
１１…ブラックストライプ
１２…黒色枠
２０…遮光マスク
３０…光硬化型感光層
３１…集光部以外の部分
３２…集光部
４０…転写シート
４１…転写シート基材
４２…黒色インキ層
【図１】
0003760758.tif 000002
【図２】
0003760758.tif 000003
【図３】
0003760758.tif 000004
【図４】
0003760758.tif 000005